(57)【特許請求の範囲】
【請求項１】
器具本体内に備えたサブタンクに、汲み上げポンプで油タンクから油を汲み上げ、バーナ部へ供給するものに於いて、前記汲み上げポンプと油タンクの配管途中には、外周面が配管内面に密着し複数の区画された空気層を形成した蛇腹管状で弾力性のあるアキュームレータを備え、配管内を流通する油の振動を空気層と蛇腹部分で吸収する事を特徴とする燃焼装置。
【請求項２】
器具本体内に備えられたバーナ部のノズルに、サブタンク内の油を電磁ポンプで圧送して供給するものに於いて、前記ノズルと電磁ポンプの配管途中には、外周面が配管内面に密着し複数の区画された空気層を形成した蛇腹管状で弾力性のあるアキュームレータを備え、配管内を流通する油の振動を空気層と蛇腹部分で吸収する事を特徴とする燃焼装置。
【発明の詳細な説明】
【０００１】
【発明の属する技術分野】
この発明は、離れた場所に設置した油タンクから、汲み上げポンプで油を汲み上げてバーナ部へ供給する燃焼装置で、配管途中で発生する振動騒音を防止する構成及び、サブタンク内の油をバーナ部のノズルに電磁ポンプで圧送する燃焼装置で、脈動燃焼を防止する構成に関するものである。
【０００２】
【従来の技術】
従来よりこの種のものに於いては、例えば特開平１１−８２９９５号公報に開示されている如く、汲み上げポンプと油タンクの配管途中にアキュームレータを備え、銅パイプ等の金属配管途中の振動騒音を防止るものであった。
一方例えば特開平８−４２８１８号公報に開示されている如く、油圧送用の電磁ポンプとノズルとの配管途中にアキュームレータを備え、安定した燃焼を得るものであった。
【０００３】
【発明が解決しようとする課題】
ところで先ず前者の従来例では、アキュームレータが配管途中で分岐して取り付けられているので、配管中の油の振動を効率良く吸収することが出来ず、振動騒音を確実に防止することが出来ないものであった。
【０００４】
又後者の従来例でも、アキュームレータは平坦面であるので一方向の圧力変動のみしか吸収することが出来ないので、効率良く油の圧力変動を防止出来ず、しかもアキュームレータの一箇所に穴が開いた場合には、保護管との間に油が充満して振動吸収作用が行えなくなると言う大きな問題点を有するものであった。
【０００５】
【課題を解決するための手段】
この発明はこの点に着目し上記欠点を解決する為、特にその構成を、請求項１では、器具本体内に備えたサブタンクに、汲み上げポンプで油タンクから油を汲み上げ、バーナ部へ供給するものに於いて、前記汲み上げポンプと油タンクの配管途中には、外周面が配管内面に密着し複数の区画された空気層を形成した蛇腹管状で弾力性のあるアキュームレータを備えたものであり、蛇腹管状のアキュームレータ内を流通する油の振動は、蛇腹部分でどの方向からの振動でも吸収することが出来、効率良く振動を吸収して確実に振動騒音を防止することが出来るものである。
【０００６】
請求項２では、器具本体内に備えられたバーナ部のノズルに、サブタンク内の油を電磁ポンプで圧送して供給するものに於いて、前記ノズルと電磁ポンプの配管途中には、外周面が配管内面に密着し複数の区画された空気層を形成した蛇腹管状で弾力性のあるアキュームレータを備えたものであり、これにより、電磁ポンプの圧送で発生した油の圧力変動はアキュームレータ内の蛇腹部分で効率良く吸収され全体的に緩和されるので、脈動燃焼は防止され安定した燃焼が常に得られるものである。
【０００７】
【発明の実施の形態】
次にこの発明に係る燃焼装置を給湯機に適用した請求項１に対する実施例１を、図１〜図３で説明する。
１は給湯路２途中に備えられた熱交換器で、下方に位置するバーナ部３の燃焼で加熱され、給湯路２先端に備えられた給湯栓４の開栓で適宜給湯を行うものである。
【０００８】
５は前記熱交換器１及びバーナ部３等を内装した器具本体で、家屋の壁等に設置可能な構造となっている。
６は器具本体５内に備えられた容量約３００ｃｃのサブタンクで、該器具本体５外に設置された大容量の油タンク７から油の供給を受け、常に所定量の油を蓄えておくものである。
【０００９】
８はサブタンク６と油タンク７とを結ぶ銅パイプの配管を構成する送油配管で、途中には油を汲み上げる汲み上げポンプ９を備えている。
１０はサブタンク６内の油をバーナ部３の気化部１１に噴霧するようにノズル１２へ適宜圧送する電磁ポンプで、燃焼量に応じて供給量が制御されるものである。
【００１０】
１３はサブタンク６内に備えられ該サブタンク６内の油面を一定に保持するように汲み上げポンプ９を制御する油面検知手段で、油面に応じて上下動する内方に磁石（図示せず）を有するフロ−ト１４と、該フロ−ト１４の上下動を案内し内方には磁石の接近でオン、オフするリ−ドスイッチ（図示せず）をそれぞれ３位置に備えた主柱１５とから構成され、下方の「空」位置では汲み上げポンプ９を駆動開始させ、「満」位置で駆動を停止させ、これより上の「危」位置では全駆動を停止させて異常油面検知を行うものである。
【００１１】
１６は油タンク７からサブタンク６までの送油配管８途中で汲み上げポンプ９の吸い込み側近傍に備えられたアキュームレータで、、蛇腹管状で弾力性がある耐油性のゴム材料で形成され、送油配管８途中に接続される真鍮製の管部１７内に挿入されて、蛇腹部分１８の外周面が管部１７の内面と密着し、該管部１７内面との間に複数の区画された空気層１９を形成するものである。
２０は各部の駆動制御を行う電気制御部である。
【００１２】
次にこの実施例１の作動について説明すれば、今油タンク７からサブタンク６へ油を汲み上げる為に汲み上げポンプ９を駆動させれば、送油配管８を介して油はサブタンク６に供給されるが、この時汲み上げポンプ９の発停運動で発生する振動が送油配管８を流通する油に伝わり、これが共振や共鳴を起こし騒音の原因になるものであった。
【００１３】
しかしこの発明では、送油配管８内にアキュ−ムレ−タ１６が備えられているので、図３に示すように、アキュ−ムレ−タ１６自体の弾性力及び複数の空気層１９による緩衝で油の振動は吸収され、又中側の蛇腹部分１８によってどの方向からの振動でも確実に吸収することが出来、効率良く油の振動を吸収して振動騒音を防止することが出来るものである。
【００１４】
次に請求項２に対する実施例２を、図４、５で説明するが、実施例１とほぼ同く同一部分には同一符号を付し、説明は省略する。又図２は同じアキュ−ムレ−タ１６を示す断面図である。
【００１５】
実施例１との相違点は、アキュ−ムレ−タ１６の取り付け位置がノズル１２と電磁ポンプ１０の供給配管２１途中で、該電磁ポンプ１０の吐出側近傍である点が相違しているものである。
【００１６】
この相違によって、油を圧送する電磁ポンプ１０の発停運動の振動が供給される油に伝わったとしても、実施例１で説明したアキュ−ムレ−タ１６の作用でこの振動が吸収され、又図５に示すように、アキュ−ムレ−タ１６の一部に穴が開いた場合でも、一つの空気層１９に油が充満するのみで、他の空気層１９はそのまま維持され、穴が開いた時でも振動の吸収作用は良好に行われるものであり、油への振動の伝播で特に低燃焼状態に多く発生していた脈動燃焼を防止し、安定した燃焼が常に得られるものである。
【００１７】
更にアキュ−ムレ−タ１６をゴム材料で形成した事で、製造容易で安価に提供出来るものである。
尚、この実施例では給湯機に実施した例で説明したが、これに限定される事なく、例えば冷媒を石油バ−ナで加熱して暖房を行う石油エアコンと呼ばれるものにも利用しても良い事は勿論である。
又ここではアキュ−ムレ−タ１６の取り付け位置を別々に説明したが、２つのアキュ−ムレ−タ１６を備え一つの器具本体５に、実施例１及び実施例２のように取り付ければ、それぞれの作用効果を同時にえられるものである。
【００１８】
【発明の効果】
以上のように請求項１の発明によれば、汲み上げポンプによる油の振動を蛇腹管状のアキュ−ムレ−タで、効率良く吸収することが出来、油タンクと汲み上げポンプ間の共振や共鳴による騒音を確実に防止するものである。
【００１９】
又請求項２の発明によれば、電磁ポンプによる油の圧送で発生する該油の振動を蛇腹管状のアキュ−ムレ−タで、効率良く吸収することが出来、特に低燃焼量時に多く発生する脈動燃焼を確実に防止し、安定した燃焼を常に得られるようにしたものである。
【図面の簡単な説明】
【図１】この発明の実施例１を示す給湯機の構成図。
【図２】同要部断面図。
【図３】同要部拡大断面図。
【図４】この発明の実施例２を示す給湯機の構成図。
【図５】同要部拡大断面図。
【符号の説明】
３  バーナ部
５  器具本体
６  サブタンク
７  油タンク
８  送油配管
９  汲み上げポンプ
１０  電磁ポンプ
１２  ノズル
１６  アキュ−ムレ−タ
１７  管部
１８  蛇腹部分
１９  空気層
【図１】
0003839700.tif 000002
【図２】
0003839700.tif 000003
【図３】
0003839700.tif 000004
【図４】
0003839700.tif 000005
【図５】
0003839700.tif 000006